(57)【要約】【課題】電力供給体の着脱時における安全性を向上させる。【解決手段】モータと、前記モータを収容するハウジングと、前記ハウジングに対してスライドし、前記モータを作動及び停止させるために操作されて、前記モータを作動させるＯＮ位置と前記モータを停止させるＯＦＦ位置との間をスライドするスイッチレバーと、前記スイッチレバーをＯＦＦ位置側に付勢する付勢部材と、解除部材と、を備え、前記ハウジングは、前記スイッチレバーをＯＮ位置にロックするための本体係合部と、前記モータに電力を供給するための電力供給体が着脱される電源接続部と、を有し、前記スイッチレバーは、前記本体係合部に係合するレバー係合部を有し、前記電源接続部から前記電力供給体が取り外される際に、前記解除部材は、前記スイッチレバーのロックを解除する。【選択図】図１
2020011335.tif 000002
【特許請求の範囲】
【請求項１】
モータと、
前記モータを収容するハウジングと、
前記ハウジングに対してスライドし、前記モータを作動及び停止させるために操作されて、前記モータを作動させるＯＮ位置と前記モータを停止させるＯＦＦ位置との間をスライドするスイッチレバーと、
前記スイッチレバーをＯＦＦ位置側に付勢する付勢部材と、
解除部材と、を備え、
前記ハウジングは、前記スイッチレバーをＯＮ位置にロックするための本体係合部と、前記モータに電力を供給するための電力供給体が着脱される電源接続部と、を有し、
前記スイッチレバーは、前記本体係合部に係合するレバー係合部を有し、
前記電源接続部から前記電力供給体が取り外される際に、前記解除部材は、前記スイッチレバーのロックを解除する、電動工具。
【請求項２】
前記解除部材は前記ハウジングに対してスライドし、
前記解除部材は、前記電源接続部から前記電力供給体が取り外される際に第一方向にスライドし、
前記解除部材は、前記電源接続部に前記電力供給体が取り付けられる際に前記第一方向とは反対の第二方向にスライドし、
前記解除部材は、前記解除部材が前記第一方向にスライドする際に前記スイッチレバーを押す押し部を有し、前記スイッチレバーは前記解除部材の前記押し部によって押される受け部を有し、
前記押し部と前記受け部のうち少なくとも一方は、前記解除部材のスライド方向に対して傾斜した傾斜面を含み、
前記解除部材の前記第一方向のスライドにより、前記解除部材の前記押し部が前記スイッチレバーの前記受け部を前記第一方向に押して前記スイッチレバーのロックを解除する、請求項１記載の電動工具。
【請求項３】
前記スイッチレバーは、前記ハウジングに対して傾動し、
前記スイッチレバーは、傾動により、前記レバー係合部が前記本体係合部に係合したロック姿勢と、前記レバー係合部が前記本体係合部から外れたアンロック姿勢となり、
前記解除部材の前記第一方向のスライドにより、前記解除部材の前記押し部が前記スイッチレバーの前記受け部を前記第一方向に押して前記スイッチレバーが前記アンロック姿勢となる、請求項２記載の電動工具。
【請求項４】
前記押し部は第一押し部であり、前記解除部材は、前記解除部材が前記第二方向にスライドする際に前記スイッチレバーの前記受け部を前記第二方向に押す第二押し部を有し、
前記第一押し部は、前記解除部材のスライド方向に対して傾斜した傾斜面を含み、前記第二押し部は、前記解除部材の前記スライド方向に対して前記第一押し部の傾斜方向とは逆方向に傾斜した傾斜面を含み、
前記解除部材の前記第二方向のスライドにより、前記解除部材の前記第二押し部が前記スイッチレバーの前記受け部を前記第二方向に押して前記スイッチレバーが前記アンロック姿勢となる、請求項３記載の電動工具。
【請求項５】
前記解除部材は、前記電源接続部から前記電力供給体が取り外される際に前記スイッチレバーのロックを解除し、
前記解除部材は、前記電源接続部に前記電力供給体が取り付けられる際に前記スイッチレバーのロックを解除する、請求項１記載の電動工具。
【発明の詳細な説明】
【技術分野】
【０００１】
本発明は、電動工具に関し、具体的には、モータに電力を供給するための電力供給体が着脱される電動工具に関する。
【背景技術】
【０００２】
下記特許文献１の電動工具の後端部にはバッテリパックが取り付けられる。電動工具は、本体ケースと、スイッチと、スイッチレバーと、検知ロッドと、第一のバネと、第二のバネとを備えている。スイッチレバーは、本体ケースに対して前後方向にスライドすると共に本体ケースの内外方向に傾動する。スイッチレバーが前側に位置するとスイッチはＯＮとなり、スイッチレバーが後側に位置するとスイッチはＯＦＦとなる。スイッチレバーの前側の位置はＯＮ位置であり、スイッチレバーの後側の位置はＯＦＦ位置である。第一のバネは、スイッチレバーを後側に付勢する。検知ロッドは、本体ケースに対して前後方向にスライドする。第二のバネは、検知ロッドを後側に付勢する。電動工具にバッテリパックが取り付けられると、検知ロッドはバッテリパックによって前側に押されることにより前側にスライドする。電動工具からバッテリパックが取り外されると、検知ロッドは第二のバネにより後側にスライドする。バッテリパックを電動工具に取り付けた状態においてスイッチレバーをＯＮ位置にスライドさせて内側に傾動させると、スイッチレバーが検知ロッドの前端部に係合する。スイッチレバーが検知ロッドに係合することにより、スイッチレバーから手を離しても、スイッチレバーはＯＮ位置に留まる。このようにスイッチレバーは検知ロッドによってＯＮ位置にロックされる。
【０００３】
この電動工具では、検知ロッドにスイッチレバーが係合するので、バッテリパックを取り外した際に、検知ロッドとスイッチレバーの係合が解除されない可能性がある。
【先行技術文献】
【特許文献】
【０００４】
【特許文献１】特許第３８５３５９０号公報
【発明の概要】
【発明が解決しようとする課題】
【０００５】
本発明は、電力供給体の着脱時における安全性を向上させることを課題とする。
【課題を解決するための手段】
【０００６】
本発明の電動工具は、モータと、前記モータを収容するハウジングと、前記ハウジングに対してスライドし、前記モータを作動及び停止させるために操作されて、前記モータを作動させるＯＮ位置と前記モータを停止させるＯＦＦ位置との間をスライドするスイッチレバーと、前記スイッチレバーをＯＦＦ位置側に付勢する付勢部材と、解除部材と、を備え、前記ハウジングは、前記スイッチレバーをＯＮ位置にロックするための本体係合部と、前記モータに電力を供給するための電力供給体が着脱される電源接続部と、を有し、前記スイッチレバーは、前記本体係合部に係合するレバー係合部を有し、前記電源接続部から前記電力供給体が取り外される際に、前記解除部材は、前記スイッチレバーのロックを解除する。
【発明の効果】
【０００７】
本発明の電動工具によれば、電力供給体の着脱時における安全性を向上させることができる。
【図面の簡単な説明】
【０００８】
【図１】本発明の第一の実施形態における電動工具を左側から見た断面図。
【図２】同電動工具を上側から見た図。
【図３】同電動工具の要部を上側から見た図であって、電動工具を部分的に切り欠いた状態の図。
【図４】同電動工具の要部を上側から見た図であって、スイッチレバーを外した状態を示す図。
【図５】図１のＡ−Ａ線の要部断面図。
【図６】図１のＢ−Ｂ線の断面図。
【図７】図１のＣ−Ｃ線の断面図。
【図８】図１のＤ−Ｄ線の断面図。
【図９】同電動工具を後側から見た図。
【図１０】同電動工具のスイッチリンクを左側から見た図。
【図１１】同スイッチリンクを上側から見た図。
【図１２】同電動工具の解除ロッドを左側から見た図。
【図１３】同解除ロッドを上側から見た図。
【図１４】同電動工具に接続される電源コードの要部を上側から見た図。
【図１５】同電源コードの要部を上側から見た断面図。
【図１６】同電源コードを端面から見た図。
【図１７】同電動工具の要部断面図。
【図１８】同電動工具の要部断面図。
【図１９】同電動工具の要部断面図。
【図２０】同電動工具の要部断面図。
【図２１】本発明の第二の実施形態における電動工具の要部断面図であって、電動工具からバッテリパックを取り外した状態を示す図。
【図２２】同電動工具の要部断面図であって、電動工具にバッテリパックを取り付けた状態を示す図。
【図２３】本発明の第三の実施形態における電動工具を上側から見た図。
【図２４】同電動工具を左側から見た断面図。
【図２５】同電動工具の要部断面図。
【図２６】同電動工具の要部断面図。
【図２７】同電動工具の要部断面図。
【図２８】同電動工具の要部断面図。
【図２９】本発明の第四の実施形態における電動工具の要部断面図。
【図３０】同電動工具の要部断面図。
【図３１】同電動工具の要部断面図。
【図３２】本発明の第五の実施形態における電動工具の要部断面図。
【図３３】同電動工具の要部断面図。
【発明を実施するための形態】
【０００９】
＜第一の実施形態＞
本実施形態の電動工具は、携帯用の電動工具である。電動工具は、代表的には、対象物を研磨する研磨工具（サンダ）や、対象物を研削する研削工具（グラインダ）、対象物を切断する切断工具、先端工具を容易に取り替えることができるマルチツール、対象物を切削する切削工具、対象物を攪拌する攪拌機がある。研磨工具としては、例えば、ベルトサンダやディスクサンダ、ポリッシャがある。研削工具としては、例えば、ディスクグラインダがある。切削工具としては、例えば、電動カンナや電動トリマー、電動彫刻刀、ルーターがある。切断工具としては、例えば、レシプロソーやジグソーがある。その他、インパクトドライバやインパクトレンチ、ドリル等でもよい。
【００１０】
図１〜図２０に本実施形態の電動工具を示している。図１及び図２において、矢印Ｘ１で示す方向を左側とし、矢印Ｘ２で示す方向を右側とし、矢印Ｙ１で示す方向を前側とし、矢印Ｙ２で示す方向を後側とし、矢印Ｚ１で示す方向を上側とし、矢印Ｚ２で示す方向を下側とする。
【００１１】
本実施形態の電動工具は、ベルトサンダである。ユーザは、電動工具を手で把持して研磨作業を行う。電動工具は、本体１０と、電源コード１２とを備えている。図１〜図９に本体１０を示している。図１４〜図１６に電源コード１２を示している。本体１０は、全体として、前後方向に長い形状である。電源コード１２は、本体１０の後端部に着脱される。電源コード１２は、本体１０に電力を供給するための電力供給体である。
【００１２】
電源コード１２は、第一の端部と、図示しない第二の端部とを有している。電源コード１２は、第一の端部にコネクタ１４を備え、第二の端部に図示しないプラグを備えている。コネクタ１４は、本体１０に接続される。コネクタ１４は円柱状である。コネクタ１４は、一対のメス側の端子１６を備えている。コネクタ１４は、外周面に、抜け止め用の係合凸部１８を有している。抜け止め用の係合凸部１８は、コネクタ１４の径方向に突出している。抜け止め用の係合凸部１８は、１８０度対向して一対設けられている。プラグは図示しない電源コンセントに差し込まれる。
【００１３】
＜ハウジング２０＞
本体１０は、中空状のハウジング２０を備えている。ハウジング２０は、前後方向に長い形状である。ハウジング２０は、ギヤ収容部２２と把持部２４とを有している。ギヤ収容部２２はハウジング２０の前部である。ギヤ収容部２２は、左側に開口している。把持部２４は、ギヤ収容部２２の後側に位置している。把持部２４は、ハウジング２０の大部分を占めている。把持部２４は、前後方向に沿った筒状である。ユーザは、把持部２４を把持して研磨作業を行うことができる。
【００１４】
図１及び図６〜図８のように、把持部２４は、第一収容室２６と第二収容室２８とを有している。第一収容室２６の上側に第二収容室２８が位置している。第一収容室２６は、把持部２４の内部空間の大部分を占めている。第二収容室２８は第一収容室２６よりも小さい。第一収容室２６と第二収容室２８は、共に、前後方向に沿って延びている。
【００１５】
＜電源接続部３０＞
ハウジング２０は、電源コード１２のコネクタ１４が着脱自在に取り付けられる電源接続部３０を有している。電源接続部３０は、本体１０の後端部に位置していると共にハウジング２０の後端部に位置している。電源接続部３０は、断面円形の凹部である。電源接続部３０は、ハウジング２０の後端面に開口していると共に前側に向けて延びている。電源接続部３０には、コネクタ１４が後側から前側に向けて差し込まれる。電源接続部３０は、コネクタ１４に対応した形状であり、具体的には、断面円形である。
【００１６】
本体１０は、ハウジング２０の電源接続部３０の最奧部に、端子ホルダ３２を備えている。端子ホルダ３２は、ハウジング２０に回転可能に支持されている。端子ホルダ３２は、ハウジング２０に対して、前後方向に沿った軸線まわりに回転することができる。端子ホルダ３２に一対のオス側の端子３４が取り付けられている。一対のオス側の端子３４は、端子ホルダ３２と共に、ハウジング２０に対して回転できる。
【００１７】
電源接続部３０は、内周面に、抜け止め用の係合溝３６を有している。抜け止め用の係合溝３６は、１８０度対向して一対設けられている。抜け止め用の係合溝３６は、周方向に沿って略９０度の範囲で延びている。一対の抜け止め用の係合溝３６にはそれぞれコネクタ１４の一対の抜け止め用の係合凸部１８が係合する。コネクタ１４が電源接続部３０に差し込まれることにより、メス側の端子１６がオス側の端子３４に接続されると共に、抜け止め用の係合凸部１８が抜け止め用の係合溝３６に係合する。その状態でコネクタ１４をコネクタ１４の中心線まわりに９０度回転させると、コネクタ１４はオス側の端子３４と共に回転すると共に、抜け止め用の係合凸部１８は抜け止め用の係合溝３６を摺動する。このようにコネクタ１４を９０度回転させることにより、コネクタ１４が電源接続部３０から後側に抜けることが防止される。コネクタ１４が電源接続部３０に接続されることにより、電源コード１２を介して本体１０に電力が供給可能になる。
【００１８】
＜ロック用の係合溝４０（本体係合部）＞
図１、図６及び図７のように、ハウジング２０は、上面に、左右一対のガイド壁３８を有している。ガイド壁３８は、ハウジング２０の把持部２４の前端部に位置している。ガイド壁３８は、ハウジング２０の上面に上側に向けて突出している。ハウジング２０は、上面に、本体係合部としてのロック用の係合溝４０と、第一の貫通孔４２と、第二の貫通孔４４とを有している。ロック用の係合溝４０と第一の貫通孔４２と第二の貫通孔４４は、左右のガイド壁３８の間に位置している。ロック用の係合溝４０は上側に開口している。ロック用の係合溝４０は、左右方向に沿って直線状に延びている。
【００１９】
第一の貫通孔４２と第二の貫通孔４４は、ハウジング２０の上面を上下に貫通している。第一の貫通孔４２と第二の貫通孔４４は、第二収容室２８とハウジング２０の外部とを上下に連通している。図４のように第一の貫通孔４２は前後方向に沿って長い形状である。第一の貫通孔４２によって、ロック用の係合溝４０は左右に分断されている。ロック用の係合溝４０は、第一の貫通孔４２の前後方向中間部の左右両側に位置している。第二の貫通孔４４は、ロック用の係合溝４０及び第一の貫通孔４２よりも後側に離れて位置している。
【００２０】
＜ベルト５０＞
本体１０は、被研磨物を研磨するためのベルト５０を備えている。ベルト５０は、無端状である。ベルト５０は、ハウジング２０の前側に位置している。ベルト５０の幅方向は、左右方向である。ベルト５０の周回方向は前後方向である。
【００２１】
＜駆動部＞
本体１０は、ベルト５０を駆動するための駆動部を備えている。駆動部は、駆動源であるモータ５２と、モータ５２の回転をベルト５０に伝達するための伝達機構とを備えている。モータ５２は、前後方向に沿った回転軸線を有している。モータ５２は、ハウジング２０の把持部２４の前部に収容されている。モータ５２は、把持部２４の第一収容室２６に収容されている。
【００２２】
伝達機構は、モータ５２の前側に位置している。伝達機構は、ハウジング２０の前部に収容されている。伝達機構は、第一及び第二のギヤ５４，５６と、第一及び第二のプーリー５８，６０とを備えている。第一のギヤ５４は、モータシャフト６２に取り付けられている。第一のギヤ５４は、ハウジング２０のギヤ収容部２２と把持部２４との境界部に位置している。第二のギヤ５６は第一のギヤ５４と噛合している。第二のギヤ５６は、ハウジング２０のギヤ収容部２２に収容されている。第一及び第二のプーリー５８，６０は、それぞれ左右方向に沿った回転軸線を有している。第一のプーリー５８は、第二のギヤ５６の左側に位置している。
【００２３】
第一のプーリー５８は、第二のギヤ５６と同軸上に位置し、第二のギヤ５６と一体に回転する。第一及び第二のギヤ５４，５６は、モータ５２の回転を減速して第一のプーリー５８に伝達する。第二のプーリー６０は、本体１０の前端部に位置している。第二のプーリー６０は、第一のプーリー５８から前側に離れて位置している。第二のプーリー６０の直径は、第一のプーリー５８の直径よりも小さい。ベルト５０は、第一のプーリー５８と第二のプーリー６０との間に掛け回されている。本体１０は、ベルトホルダ６４を備えている。ベルトホルダ６４は、ハウジング２０のギヤ収容部２２に取り付けられている。ベルトホルダ６４は、ハウジング２０のギヤ収容部２２から前側に向けて延びている。ベルトホルダ６４の前端部に、第二のプーリー６０が取り付けられている。
【００２４】
＜スイッチ７０＞
本体１０は、モータ５２を作動及び停止させるためのスイッチ７０を備えている。スイッチ７０は、ハウジング２０の第一収容室２６に収容されている。スイッチ７０は、モータ５２の後側に位置している。スイッチ７０は、上面に、切り替え用のキー７２を有している。キー７２は前後方向にスライドする。キー７２が後側の位置に位置すると、スイッチ７０はＯＮとなり、モータ５２は作動する。キー７２が前側の位置に位置すると、スイッチ７０はＯＦＦとなり、モータ５２は停止する。図１は、スイッチ７０がＯＦＦの状態を示している。
【００２５】
＜スイッチレバー７４＞
本体１０は、スイッチレバー７４を備えている。ユーザは、スイッチ７０をＯＮ、ＯＦＦ切り替えるためにスイッチレバー７４を操作する。スイッチレバー７４は、平面視において、前後方向に長い形状である。スイッチレバー７４は、ハウジング２０の上面の上側に位置している。具体的には、スイッチレバー７４は、ハウジング２０の把持部２４の前部の上面に位置している。スイッチレバー７４は、モータ５２の上側に位置すると共にモータ５２よりも若干前側に位置している。
【００２６】
スイッチレバー７４は、ハウジング２０の上面を摺動しながら前後方向にスライドする。スイッチレバー７４は、モータ５２を作動させるＯＮ位置と、モータ５２を停止させるＯＦＦ位置との間をスライドする。ＯＮ位置は、後側の位置であり、ＯＦＦ位置は前側の位置である。ユーザがスイッチレバー７４を後側に引くとスイッチ７０はＯＮとなる。図１〜図３は、スイッチレバー７４がＯＦＦ位置に位置する状態を示している。
【００２７】
スイッチレバー７４は、左右のガイド壁３８の間に位置している。スイッチレバー７４が前後方向にスライドする際に、スイッチレバー７４の左右の側面が左右のガイド壁３８に案内される。ハウジング２０の上面からガイド壁３８が上側に突出しているので、ガイド壁３８はスイッチレバー７４を保護する。
【００２８】
スイッチレバー７４は、レバー係合部としてのロック用の係合板７６を有している。係合板７６は、左右方向に沿って延びている。係合板７６は、スイッチレバー７４の前部の下面に一体的に形成されている。係合板７６は、スイッチレバー７４の下面から下側に向けて突出している。係合板７６は、ハウジング２０のロック用の係合溝４０に係合可能である。係合板７６がハウジング２０のロック用の係合溝４０に係合することにより、スイッチレバー７４はＯＮ位置にロックされる。スイッチレバー７４の係合板７６とハウジング２０のロック用の係合溝４０は、スイッチレバー７４をＯＮ位置にロックするためのロック機構である。
【００２９】
スイッチレバー７４は、ＯＮ位置において上下方向に傾動する。換言すれば、スイッチレバー７４は、ＯＮ位置において、左右方向の軸線まわりに傾く。スイッチレバー７４は、下面の前後方向の中間部に支持用の凹部７８を有している。支持用の凹部７８は、ロック用の係合板７６よりも前側に位置している。スイッチレバー７４は、支持用の凹部７８を支点として上下方向に傾動する。スイッチレバー７４は、傾動により、ロック姿勢とアンロック姿勢となる。ロック姿勢は、スイッチレバー７４の係合板７６がハウジング２０のロック用の係合溝４０に係合した姿勢である。アンロック姿勢は、スイッチレバー７４の係合板７６がハウジング２０のロック用の係合溝４０から上側に外れた姿勢である。アンロック姿勢は、スイッチレバー７４の基準となる姿勢である。ロック姿勢は、アンロック姿勢よりも、スイッチレバー７４の前部が下側に位置すると共にスイッチレバー７４の後部が上側に位置する姿勢である。ロック姿勢は、アンロック姿勢よりも前傾の姿勢である。
【００３０】
ロック姿勢において、スイッチレバー７４の係合板７６はハウジング２０のロック用の係合溝４０に嵌り込んでいて、スイッチレバー７４の後部はハウジング２０の上面から上側に浮き上がっている。ユーザは、スイッチレバー７４の前部を下側に押しながらＯＦＦ位置からＯＮ位置に引くことにより、スイッチレバー７４を自動的にロック姿勢とすることができる。ユーザは、ハウジング２０の上面から浮き上がっているスイッチレバー７４の後部を下側に押すことにより、スイッチレバー７４をロック姿勢からアンロック姿勢に戻すことができる。
【００３１】
＜スイッチリンク８０＞
本体１０は、スイッチリンク８０を備えている。スイッチリンク８０は、前後方向に長い棒状である。スイッチリンク８０は、スイッチレバー７４とスイッチ７０のキー７２とを連結している。スイッチリンク８０は、スイッチレバー７４とスイッチ７０のキー７２を連動させるための部材である。図１０及び図１１にスイッチリンク８０を示している。スイッチリンク８０は、全長のうち大部分の長さを占める主部８２を有している。主部８２は、上下方向を厚さ方向とする板状であり、主部８２の幅は、略一定である。
【００３２】
スイッチリンク８０は、主部８２の前側に上段部８４を有している。上段部８４は、スイッチリンク８０の前端部に位置している。上段部８４は、主部８２に対して一段上側に位置している。上段部８４は、主部８２よりも左側に膨出した部分を有している。上段部８４が膨出部を有することにより、上段部８４は主部８２よりも幅広であると共に左側に偏心している。スイッチリンク８０は、上段部８４の上面に、支持用の突部８６を有している。支持用の突部８６は上段部８４の上面から上側に向けて突出している。支持用の突部８６は、上段部８４の左部に位置している。
【００３３】
スイッチリンク８０は、主部８２の後端部の下面に連結用の突部８８を有している。連結用の突部８８は、主部８２の後端部の下面から下側に向けて突出している。連結用の突部８８には、連結用の係合凹部９０が形成されている。連結用の係合凹部９０は、下側に開口している。スイッチリンク８０は、主部８２の後側にバネ受け用の突部９２を有している。バネ受け用の突部９２は、主部８２の後端部から後側に向けて突出している。バネ受け用の突部９２は、円柱状である。
【００３４】
スイッチリンク８０は、ハウジング２０の把持部２４の第二収容室２８に収容されている。スイッチリンク８０は、第二収容室２８内を前後方向に沿って略水平にスライドする。スイッチリンク８０は、第二収容室２８のうち右半分に位置している。スイッチリンク８０は、ハウジング２０の中心線に対して右側に偏心している。スイッチリンク８０の上段部８４はスイッチレバー７４の下側に位置している。図７のように、スイッチリンク８０の支持用の突部８６は、ハウジング２０の上面の第二の貫通孔４４を通って上側に突出している。支持用の突部８６は、ハウジング２０の中心線の上側に位置している。支持用の突部８６がスイッチレバー７４を支持している。スイッチレバー７４の支持用の凹部７８にスイッチリンク８０の支持用の突部８６が下側から入り込んでいる。スイッチレバー７４は、支持用の突部８６を支点として上下方向に傾動する。
【００３５】
スイッチリンク８０の連結用の突部８８は、スイッチ７０の上側に位置している。連結用の突部８８は、第一収容室２６に進入している。スイッチリンク８０の連結用の係合凹部９０にスイッチ７０のキー７２が係合している。スイッチ７０のキー７２とスイッチレバー７４は、スイッチリンク８０によって連結されている。スイッチ７０のキー７２とスイッチレバー７４とスイッチリンク８０は、一体となって、前後方向にスライドする。本体１０は、スイッチリンク８０を前側に付勢するための第一のコイルバネ９４を備えている。第一のコイルバネ９４は、スイッチレバー７４をＯＦＦ位置側に付勢する付勢部材である。第一のコイルバネ９４は、スイッチリンク８０の後側に位置している。スイッチリンク８０が後側にスライドすると第一のコイルバネ９４は圧縮する。スイッチリンク８０のバネ受け用の突部９２が第一のコイルバネ９４の内側に入り込んでいる。
【００３６】
＜解除リンク１００（解除部材）＞
本体１０は、解除部材としての解除リンク１００を備えている。解除リンク１００は、スイッチレバー７４のロックを解除するための部材である。解除リンク１００は、前後方向に長い棒状である。解除リンク１００は、スイッチレバー７４の下側の位置から電源接続部３０まで延びている。図１２及び図１３に解除リンク１００を示している。解除リンク１００は、全長のうち大部分の長さを占める主部１０２を有している。主部１０２は、上下方向を厚さ方向とする板状であり、主部１０２の幅は、略一定である。解除リンク１００は、主部１０２の前側に幅広部１０４を有している。幅広部１０４は、主部１０２に対して右側に膨出している。
【００３７】
解除リンク１００は、幅広部１０４の上面に、解除用の突部１０６を有している。解除用の突部１０６は、幅広部１０４の右部に位置している。解除用の突部１０６は、図１２のように側面から見たとき、略三角形状である。解除用の突部１０６は、第一押し部１０８と第二押し部１１０とを有している。第一押し部１０８は、解除用の突部１０６の頂上部１１２に対して後側に位置している。第一押し部１０８は、解除用の突部１０６の後面である。第二押し部１１０は、解除用の突部１０６の頂上部１１２に対して前側に位置している。第二押し部１１０は、解除用の突部１０６の前面である。第一押し部１０８と第二押し部１１０は、解除用の突部１０６の頂上部１１２を介して前後に隣り合っている。
【００３８】
第一押し部１０８は、前後方向に対して傾斜した傾斜面である。具体的には、第一押し部１０８は、解除用の突部１０６の頂上部１１２から後側に向けて下降した傾斜面である。第二押し部１１０は、前後方向に対して傾斜した傾斜面である。第二押し部１１０の傾斜方向は、第一押し部１０８の傾斜方向に対して前後反対の方向である。具体的には、第二押し部１１０は、解除用の突部１０６の頂上部１１２から前側に向けて下降した傾斜面である。第一押し部１０８と第二押し部１１０は、左右方向の位置が互いに同じである。第一押し部１０８と第二押し部１１０は前後方向に沿った同一線上に位置している。解除リンク１００が後側にスライドする際に、第一押し部１０８は、ロック姿勢にあるスイッチレバー７４の係合板７６を後側に押す。解除リンク１００が前側にスライドする際に、第二押し部１１０は、ロック姿勢にあるスイッチレバー７４の係合板７６を前側に押す。本実施形態において、スイッチレバー７４の係合板７６が、解除リンク１００によって押される受け部である。
【００３９】
解除リンク１００は、主部１０２の下面の後部に、バネ受け用の突部１１４を有している。バネ受け用の突部１１４は、前側に向けて延びている。バネ受け用の突部１１４は、円柱状である。解除リンク１００は、主部１０２の後端部に受圧部１１６を有している。受圧部１１６は、板状である。受圧部１１６は、主部１０２の後端部から下側に向けて略垂直に延びている。受圧部１１６の後面は、前後方向に対して直交した平面である。
【００４０】
解除リンク１００は、ハウジング２０の把持部２４の第二収容室２８に収容されている。解除リンク１００は、第二収容室２８内を前後方向に沿って略水平にスライドする。解除リンク１００は、第二収容室２８のうち左半分に位置している。解除リンク１００は、ハウジング２０の中心線に対して左側に偏心している。図８のように解除リンク１００とスイッチリンク８０は、左右に平行に並んでいる。解除リンク１００の解除用の突部１０６は、スイッチレバー７４の下側に位置している。解除用の突部１０６は、スイッチリンク８０の支持用の突部８６よりも前側に位置している。図６のように、解除用の突部１０６は、ハウジング２０の上面の第一の貫通孔４２を通って上側に突出している。
【００４１】
図１のように本体１０に電源コード１２のコネクタ１４が接続されていない状態において、解除用の突部１０６の第二押し部１１０は、ハウジング２０のロック用の係合溝４０に対して僅かに後側に位置している。本体１０は、解除リンク１００を後側に付勢するための第二のコイルバネ１１８を備えている。第二のコイルバネ１１８は、解除リンク１００を後側に付勢する付勢部材である。第二のコイルバネ１１８は、解除リンク１００のバネ受け用の突部１１４の前側に位置している。解除リンク１００のバネ受け用の突部１１４が第二のコイルバネ１１８の内側に入り込んでいる。解除リンク１００が前側にスライドすると第二のコイルバネ１１８は圧縮する。解除リンク１００の受圧部１１６の下部は、図１及び図９のようにハウジング２０の電源接続部３０の内側に突出している。解除リンク１００の受圧部１１６は、オス側の端子３４から上側に離れている。
【００４２】
次に、電動工具の動作について説明する。図１７〜図２０に電動工具の要部の断面を示している。図１７〜図２０においては、モータ５２等の図示を省略している。図１７は、コネクタ１４が本体１０に接続されていない状態であって、且つ、スイッチレバー７４がＯＦＦ位置の状態を示している。図１８は、コネクタ１４が本体１０に接続されていない状態であって、且つ、スイッチレバー７４がＯＮ位置にロックされた状態を示している。図１９は、コネクタ１４が本体１０に接続された状態であって、且つ、スイッチレバー７４がＯＦＦ位置の状態を示している。図２０は、コネクタ１４が本体１０に接続された状態であって、且つ、スイッチレバー７４がＯＮ位置にロックされた状態を示している。
【００４３】
図１７に示している電動工具の状態を詳細に説明する。スイッチレバー７４がＯＦＦ位置に位置しているとき、スイッチレバー７４はアンロック姿勢となっている。スイッチレバー７４の係合板７６は、ハウジング２０のロック用の係合溝４０から外れていて、ロック用の係合溝４０よりも前側に位置している。スイッチレバー７４の係合板７６とスイッチレバー７４の後端部は、ハウジング２０の上面に接触している。スイッチリンク８０は、第一のコイルバネ９４によって前側に付勢されている。スイッチリンク８０の上段部８４がハウジング２０に当接していて、スイッチリンク８０は前側に移動できない。解除リンク１００は、第二のコイルバネ１１８によって後側に付勢されている。解除リンク１００の受圧部１１６はハウジング２０に当接していて、解除リンク１００は後側に移動できない。解除リンク１００の解除用の突部１０６は、ハウジング２０のロック用の係合溝４０の後側に位置している。
【００４４】
通常は、図１７に示している状態の本体１０に電源コード１２のコネクタ１４が接続される。図１７に示している状態の本体１０にコネクタ１４を接続すると、本体１０は図１９に示すような状態となる。スイッチレバー７４は、図１７の状態のままであり、ＯＦＦ位置に位置している。コネクタ１４が電源接続部３０に挿入されるとき、受圧部１１６の下部がコネクタ１４の端面によって前側に押される。受圧部１１６がコネクタ１４によって前側に押されることにより、解除リンク１００は第二のコイルバネ１１８を圧縮しながら前側にスライドする。解除リンク１００の解除用の突部１０６は、ハウジング２０のロック用の係合溝４０の位置を通過して、ロック用の係合溝４０の前側に位置する。
【００４５】
研磨作業を行う際、ユーザは、図１９の状態からスイッチレバー７４を手前に引いてＯＮ位置に位置させると共にスイッチレバー７４をＯＮ位置にロックする。スイッチレバー７４がＯＮ位置にロックされた状態を図２０に示している。スイッチレバー７４は、ロック姿勢となっている。スイッチレバー７４の係合板７６はハウジング２０のロック用の係合溝４０に係合していて、スイッチレバー７４の後端部はハウジング２０の上面から上側に浮き上がっている。スイッチレバー７４の後退に伴って、スイッチリンク８０は第一のコイルバネ９４を圧縮しながら後側にスライドし、スイッチはＯＮとなる。解除リンク１００の解除用の突部１０６はスイッチレバー７４の係合板７６の前側に位置している。
【００４６】
図２０に示している状態において、スイッチレバー７４がＯＮ位置にロックされた状態のままで仮にユーザがコネクタ１４を本体１０から抜くと、解除リンク１００がスイッチレバー７４のロックを解除する。コネクタ１４が本体１０から後側に引き抜かれることにより、解除リンク１００は第二のコイルバネ１１８によって後側にスライドする。解除リンク１００は、コネクタ１４の後進と連動して後側にスライドする。解除リンク１００の後退により、解除用の突部１０６の第一押し部１０８がスイッチレバー７４の係合板７６に当接して係合板７６を押し上げる。係合板７６は、第一押し部１０８によって上側に押されてロック用の係合溝４０から上側に外れる。係合板７６がロック用の係合溝４０から外れると、第一のコイルバネ９４によってスイッチレバー７４とスイッチリンク８０は前側にスライドして自動的にＯＦＦ位置に戻り、スイッチ７０は自動的にＯＦＦとなる。本体１０は図１７に示す状態に戻る。このようにコネクタ１４を本体１０から外すことにより、スイッチレバー７４のロックが自動的に解除され、スイッチレバー７４がＯＦＦ位置に戻る。
【００４７】
一方、図１７の状態から仮にユーザがスイッチレバー７４を後側に引いてスイッチレバー７４をＯＮ位置にロックすると、本体１０は、図１８に示す状態となる。本体１０にコネクタ１４が接続されていないため、解除リンク１００は後側に位置していて、解除用の突部１０６は係合板７６の後側に位置している。図１８に示す状態において仮にユーザがコネクタ１４を本体１０に接続すると、解除リンク１００がコネクタ１４に押されて前進する。解除リンク１００の前進により、解除用の突部１０６の第二押し部１１０が係合板７６を押し上げ、スイッチレバー７４のロックは自動的に解除される。
【００４８】
このように本実施形態の電動工具では、スイッチレバー７４の係合板７６がハウジング２０のロック用の係合溝４０に係合する。そのため、スイッチレバー７４のロック状態が安定し、スイッチレバー７４はＯＮ位置に安定してロックされる。また、スイッチレバー７４がＯＮ位置にロックされた状態でコネクタ１４が本体１０から抜かれた場合には、解除リンク１００の第一押し部１０８がスイッチレバー７４の係合板７６を押し上げてスイッチレバー７４のロックを解除する。そのため、コネクタ１４の着脱時における電動工具の安全性が向上する。更に、スイッチレバー７４がＯＮ位置にロックされた状態でコネクタ１４が本体１０に接続された場合には、解除リンク１００の第二押し部１１０がスイッチレバー７４の係合板７６を押し上げてスイッチレバー７４のロックを解除する。そのため、コネクタ１４の着脱時における電動工具の安全性が向上する。
【００４９】
第一押し部１０８と第二押し部１１０はスイッチレバー７４の係合板７６に当接して係合板７６を直接押し上げるので、係合板７６をロック用の係合溝４０から容易に外すことができる。また、第一押し部１０８と第二押し部１１０が前後に隣り合っていて互いに近い位置にあるので、解除リンク１００の前後方向のストロークが短くて済む。解除リンク１００とスイッチリンク８０は左右に並んでいるので、解除リンク１００のスライド動作がスイッチリンク８０に影響を及ぼしにくく、スイッチリンク８０のスライド動作が解除リンク１００に影響を及ぼしにくい。そのため、解除リンク１００とスイッチリンク８０は、スムーズにスライドすることができる。スイッチレバー７４のスライド方向と解除リンク１００のスライド方向は、それぞれ前後方向であって且つ互いに同一の方向であるため、解除リンク１００によってスイッチレバー７４のロックを容易に解除できる。
【００５０】
＜第二の実施形態＞
次に、本発明の第二の実施形態にかかる電動工具について説明する。但し、第一の実施形態と同様の構成についてはその詳細な説明を省略する。第二の実施形態の電動工具の電力供給体は、バッテリパック１２０である。本体１０の電源接続部３０には、バッテリパック１２０が装着される。第二の実施形態の電動工具を図２１及び図２２に示している。図２１は、電源接続部３０からバッテリパック１２０を取り外した状態を示している。バッテリパック１２０は電源接続部３０にスライドしながら取り付けられる。バッテリパック１２０のスライド方向は、前後方向に対して上下方向に傾斜した方向である。但し、バッテリパック１２０の取付方向は任意である。バッテリパック１２０が電源接続部３０に取り付けられる際には、バッテリパック１２０は、斜め前方に向けて徐々に下降していく。バッテリパック１２０が電源接続部３０から取り外される際には、バッテリパック１２０は、斜め後方に向けて徐々に上昇していく。
【００５１】
解除リンク１００の受圧部１１６は、電源接続部３０から後側に突出している。バッテリパック１２０が電源接続部３０に取り付けられる際に、解除リンク１００の受圧部１１６はバッテリパック１２０によって前側に押され、解除リンク１００は前側にスライドする。バッテリパック１２０を電源接続部３０から取り外すと、解除リンク１００は第二のコイルバネ１１８によって後側にスライドして元の位置に戻る。
【００５２】
＜第三の実施形態＞
次に、本発明の第三の実施形態にかかる電動工具について説明する。但し、上記実施形態と同様の構成についてはその詳細な説明を省略する。第三の実施形態にかかる電動工具は、ディスクグラインダである。第三の実施形態の電動工具を図２３〜図２８に示している。図２３及び図２４のように電動工具は、ディスク１３０を備えている。ディスク１３０は、上下方向の回転軸線を有している。伝達機構は、第一のギヤ５４と第二のギヤ５６とを備えている。モータ５２の回転は、第一のギヤ５４と第二のギヤ５６によってディスク１３０に伝達される。
【００５３】
スイッチ７０のＯＮとＯＦＦの位置は上記実施形態のスイッチ７０とは逆である。キー７２が後側の位置に位置するとスイッチ７０はＯＦＦとなり、キー７２が前側の位置に位置するとスイッチ７０はＯＮとなる。スイッチレバー７４のＯＮ位置は前側の位置であり、スイッチレバー７４のＯＦＦ位置は後側の位置である。図２４は、スイッチ７０がＯＦＦの状態を示している。第一のコイルバネ９４は、スイッチリンク８０を後側に付勢している。
【００５４】
本実施形態の電動工具の動作について説明する。図２５〜図２８に電動工具の要部の断面を示している。図２５〜図２８においては、モータ５２等の図示を省略している。図２５は、コネクタ１４が本体１０に接続されていない状態であって、且つ、スイッチレバー７４がＯＦＦ位置の状態を示している。図２６は、コネクタ１４が本体１０に接続されていない状態であって、且つ、スイッチレバー７４がＯＮ位置にロックされた状態を示している。図２７は、コネクタ１４が本体１０に接続された状態であって、且つ、スイッチレバー７４がＯＦＦ位置の状態を示している。図２８は、コネクタ１４が本体１０に接続された状態であって、且つ、スイッチレバー７４がＯＮ位置にロックされた状態を示している。
【００５５】
図２５のようにスイッチレバー７４がＯＦＦ位置に位置しているとき、スイッチリンク８０の支持用の突部８６がハウジング２０の第二の貫通孔４４の壁面の後端部に当接している。ハウジング２０の第二の貫通孔４４の壁面の後端部により、スイッチリンク８０の後側への移動が阻止されている。スイッチレバー７４の係合板７６は、ハウジング２０のロック用の係合溝４０よりも後側に位置している。
【００５６】
図２５に示している状態の本体１０にコネクタ１４を接続すると、本体１０は図２７に示すような状態となる。解除リンク１００はコネクタ１４によって押されて前側に移動する。解除リンク１００の解除用の突部１０６は、ロック用の係合溝４０の前側に位置している。図２７の状態からスイッチレバー７４を前側に押すことでスイッチレバー７４をＯＮ位置にロックさせることができる。スイッチレバー７４がＯＮ位置にロックされた状態を図２８に示している。
【００５７】
図２８に示している状態において、スイッチレバー７４がＯＮ位置にロックされた状態のままで仮にユーザがコネクタ１４を本体１０から抜くと、解除リンク１００がスイッチレバー７４のロックを解除する。コネクタ１４が本体１０から抜かれることにより、解除リンク１００は第二のコイルバネ１１８によって後側にスライドする。解除リンク１００の後退により、解除用の突部１０６の第一押し部１０８がスイッチレバー７４の係合板７６を押し上げて、係合板７６はロック用の係合溝４０から上側に外れる。係合板７６がロック用の係合溝４０から外れると、第一のコイルバネ９４によってスイッチレバー７４とスイッチリンク８０は後側にスライドして自動的にＯＦＦ位置に戻り、スイッチ７０は自動的にＯＦＦとなる。本体１０は図２５に示す状態に戻る。
【００５８】
一方、図２５の状態から仮にユーザがスイッチレバー７４を前側に押してスイッチレバー７４をＯＮ位置にロックすると、本体１０は、図２６に示す状態となる。図２６に示す状態において仮にユーザがコネクタ１４を本体１０に接続すると、解除リンク１００がコネクタ１４に押されて前進する。解除リンク１００の前進により、解除用の突部１０６の第二押し部１１０が係合板７６を押し上げ、スイッチレバー７４のロックは自動的に解除される。
【００５９】
＜第四の実施形態＞
次に、本発明の第四の実施形態にかかる電動工具について説明する。但し、上記実施形態と同様の構成についてはその詳細な説明を省略する。第四の実施形態の電動工具を図２９〜図３１に示している。図２９〜図３１においては、モータ５２等の図示を省略している。本実施形態の電動工具は、第三の実施形態の電動工具とは、解除リンク１００の解除用の突部１０６の形状が異なっている。解除リンク１００の解除用の突部１０６は、第一押し部１０８を有し、第二押し部１１０を有していない。解除用の突部１０６の前面１４０は、傾斜面ではなく垂直面である。
【００６０】
図２９は、コネクタ１４が本体１０に接続されていない状態であって、且つ、スイッチレバー７４がＯＦＦ位置の状態を示している。図３０は、コネクタ１４が本体１０に接続された状態であって、且つ、スイッチレバー７４がＯＦＦ位置の状態を示している。図３１は、コネクタ１４が本体１０に接続された状態であって、且つ、スイッチレバー７４がＯＮ位置にロックされた状態を示している。
【００６１】
ハウジング２０のロック用の係合溝４０は、第一の貫通孔４２によって左右に分断されている。図２９のようにコネクタ１４が本体１０に接続されていない状態では、解除リンク１００の解除用の突部１０６は、左右に分断されたロック用の係合溝４０同士の間に位置している。スイッチレバー７４の係合板７６は、解除リンク１００の解除用の突部１０６によって、ロック用の係合溝４０に係合できない。図３０に示すようにコネクタ１４を本体１０に接続すると、解除リンク１００はコネクタ１４によって前側に押され、解除リンク１００の解除用の突部１０６はロック用の係合溝４０よりも前側に位置する。そのため、図３１のようにロック用の係合溝４０にスイッチレバー７４の係合板７６を係合させることができ、スイッチレバー７４をＯＮ位置にロックさせることができる。
【００６２】
図３１に示している状態において、仮にユーザがコネクタ１４を本体１０から抜くと、解除リンク１００が後退する。解除用の突部１０６の第一押し部１０８はスイッチレバー７４の係合板７６を押し上げ、係合板７６はロック用の係合溝４０から外れる。スイッチレバー７４は後側にスライドして自動的にＯＦＦ位置に戻る。
【００６３】
＜第五の実施形態＞
次に、本発明の第五の実施形態にかかる電動工具について説明する。但し、上記実施形態と同様の構成についてはその詳細な説明を省略する。第五の実施形態の電動工具を図３２及び図３３に示している。図３２及び図３３においては、モータ５２等の図示を省略している。図３２は、コネクタ１４が本体１０に接続されていない状態であって、且つ、スイッチレバー７４がＯＦＦ位置の状態を示している。図３３は、コネクタ１４が本体１０に接続されていない状態であって、且つ、スイッチレバー７４がＯＮ位置にロックされた状態を示している。
【００６４】
図３２のようにコネクタ１４が本体１０に接続されていない状態において、解除リンク１００の解除用の突部１０６は、ロック用の係合溝４０よりも後側に位置している。そのため、図３３のようにコネクタ１４が本体１０に接続されていない状態において、スイッチレバー７４の係合板７６をロック用の係合溝４０に係合させることができ、スイッチレバー７４をＯＮ位置にロックすることができる。この状態においてユーザはコネクタ１４を本体１０に接続できない。コネクタ１４が解除リンク１００の受圧部１１６を前側に押しても、解除リンク１００の解除用の突部１０６の前面１４０がスイッチレバー７４の係合板７６に当接して、解除リンク１００は前側に移動できない。そのため、ユーザは、コネクタ１４を本体１０に接続することができない。ユーザがスイッチレバー７４をＯＦＦ位置に戻すと、ユーザはコネクタ１４を本体１０に接続することができる。
【００６５】
尚、上記実施形態では、スイッチレバー７４の係合板７６が、解除リンク１００によって押される受け部であったが、係合板７６以外の部分が受け部であってもよい。第一押し部１０８と第二押し部１１０は、同じ受け部を押してもよいし、互いに異なる受け部を押してもよい。上記実施形態では、第一押し部１０８と第二押し部１１０が前後に並んでいたが、第一押し部１０８と第二押し部１１０が互いに左右方向に位置ずれしていてもよい。
【００６６】
上記実施形態では、第一押し部１０８と第二押し部１１０がそれぞれ傾斜面であったが、受け部が傾斜面であってもよい。押し部と受け部がそれぞれ傾斜面であってもよい。
【００６７】
上記実施形態では、ハウジング２０が、係合凹部であるロック用の係合溝４０を有し、スイッチレバー７４が、係合凸部である係合板７６を有していたが、ハウジング２０が係合凸部を有し、スイッチレバー７４が係合凹部を有していてもよい。
【符号の説明】
【００６８】
１０    本体１０
１２    電源コード（電力供給体）
１４    コネクタ
１６    メス側の端子
１８    抜け止め用の係合凸部
２０    ハウジング
２２    ギヤ収容部
２４    把持部
２６    第一収容室
２８    第二収容室
３０    電源接続部
３２    端子ホルダ
３４    オス側の端子
３６    抜け止め用の係合溝
３８    ガイド壁
４０    ロック用の係合溝
４２    第一の貫通孔
４４    第二の貫通孔
５０    ベルト
５２    モータ
５４    第一のギヤ
５６    第二のギヤ
５８    第一のプーリー
６０    第二のプーリー
６２    モータシャフト
６４    ベルトホルダ
７０    スイッチ
７２    キー
７４    スイッチレバー
７６    係合板（レバー係合部、受け部）
７８    支持用の凹部
８０    スイッチリンク
８２    主部
８４    上段部
８６    支持用の突部
８８    連結用の突部
９０    連結用の係合凹部
９２    バネ受け用の突部
９４    第一のコイルバネ（付勢部材）
１００    解除リンク（解除部材）
１０２    主部
１０４    幅広部
１０６    解除用の突部（解除部）
１０８    第一押し部
１１０    第二押し部
１１２    頂上部
１１４    バネ受け用の突部
１１６    受圧部
１１８    第二のコイルバネ
１２０    バッテリパック（電力供給体）
１３０    ディスク
１４０    前面
【図１】
2020011335.tif 000003
【図２】
2020011335.tif 000004
【図３】
2020011335.tif 000005
【図４】
2020011335.tif 000006
【図５】
2020011335.tif 000007
【図６】
2020011335.tif 000008
【図７】
2020011335.tif 000009
【図８】
2020011335.tif 000010
【図９】
2020011335.tif 000011
【図１０】
2020011335.tif 000012
【図１１】
2020011335.tif 000013
【図１２】
2020011335.tif 000014
【図１３】
2020011335.tif 000015
【図１４】
2020011335.tif 000016
【図１５】
2020011335.tif 000017
【図１６】
2020011335.tif 000018
【図１７】
2020011335.tif 000019
【図１８】
2020011335.tif 000020
【図１９】
2020011335.tif 000021
【図２０】
2020011335.tif 000022
【図２１】
2020011335.tif 000023
【図２２】
2020011335.tif 000024
【図２３】
2020011335.tif 000025
【図２４】
2020011335.tif 000026
【図２５】
2020011335.tif 000027
【図２６】
2020011335.tif 000028
【図２７】
2020011335.tif 000029
【図２８】
2020011335.tif 000030
【図２９】
2020011335.tif 000031
【図３０】
2020011335.tif 000032
【図３１】
2020011335.tif 000033
【図３２】
2020011335.tif 000034
【図３３】
2020011335.tif 000035